(57)【要約】【課題】回動式の連続噴射ボタンにおいて、連続噴射モードへ移行するための確実な操作部を簡易に実現する。【解決手段】利用者の指の回動操作を効率的に噴射ボタン（４）に伝えるために、指と操作ボタン（４）の操作面（４ａ）との摩擦力が大きくなるような凹状溝（４ｂ）を設けた。利用者は指で、噴射ボタン（４）の操作面（４ａ）を押しながら回動させることで容易に連続噴射モードに移行させることができる。また、操作面（４ａ）に利用者の指を保持する一対の起立部を設けてもよい。【選択図】図２
2009050775.tif 000002
【特許請求の範囲】
【請求項１】
エアゾール容器と一体化されたカバー体の対向壁状部によって保護される形でステムに取り付けられて、上面側の操作部に対する利用者の押下げ操作およびこれに続く回動操作を受けることにより、当該カバー体に保持されて連続噴射モードに移行する噴射ボタンにおいて、
前記操作部は、利用者の操作用指との摩擦力を大きくするための加工部分が形成された面部分である、
ことを特徴とするエアゾール容器用の噴射ボタン。
【請求項２】
エアゾール容器と一体化されたカバー体の対向壁状部によって保護される形でステムに取り付けられて、上面側の操作部に対する利用者の押下げ操作およびこれに続く回動操作を受けることにより、当該カバー体に保持されて連続噴射モードに移行する噴射ボタンにおいて、
前記操作部は、少なくとも前記回動操作の際にその操作用指への係止作用を呈する対向状態の起立部分が形成された面部分である、
ことを特徴とするエアゾール容器用の噴射ボタン。
【請求項３】
請求項１または２に記載の噴射ボタンを備え、かつ、噴射用ガスおよび内容物を収容した、
ことを特徴とするエアゾール式製品。
【発明の詳細な説明】
【技術分野】
【０００１】
本発明は、エアゾール式製品に用いられる連続噴射モード設定機能を備えた噴射ボタンに関し、特に連続噴射モード設定の際に静止モード位置の噴射ボタンを押し下げてから回動操作するものに関する。
【０００２】
本明細書では、
・「作動モード」の語を、操作ボタンに対する利用者の噴射操作といわば１対１の対応関係にたつ内容物噴射状態（エアゾール容器のバルブが開いて容器内部と外部空間とが連通した状態）を示す意で用い、
・「連続噴射モード」の語を、利用者の噴射操作終了後もその操作ボタンがそれまでの操作位置に保持されたままとなって、ガス，内容物などが続けて噴射される連続噴射状態を示す意で用い、
・「静止モード」の語を、エアゾール容器のバルブが閉じて容器内部と外部空間とが連通していない状態を示す意で用い用いる。
【０００３】
なお、エアゾール式製品の連続噴射モードが設定された場合、容器内容物をまだ使い切っていないときは内容物連続噴射状態となり、容器内容物を略使い切っているときはガス抜き状態となる。
【０００４】
内容物連続噴射状態とガス抜き状態とはもっぱら用途上の違いにすぎず、エアゾール式製品の動作機構としては、これら各状態はともにアクチュエータ（噴射ボタン，ステムなど）がその作動位置に継続的に保持されているものである。すなわち当該各状態のそれぞれにおけるバルブ機構などの動作メカニズムの違いはない。
【０００５】
一般にガス抜きモードの設定は、使用済みエアゾール容器を廃棄するときに初めて必要となり、まだ容器に内容物が存在している通常の使用段階では不要なものである。
【０００６】
そのため、ガス抜きモード保持のための機構は、エアゾール式製品の通常の使用段階では内容物噴射動作の障害とならず、また利用者にとっていわば目障りにもならず、ガス抜きモードの設定操作自体は利用者が簡単に行えることが望ましい。また、比較的長時間にわたってエアゾール式製品を連続噴射モードに設定する場合に、利用者がそのための操作自体を継続的に行わなくても済むことが望ましい。
本発明はこのような要請に応えるものである。
【背景技術】
【０００７】
従来、押しボタン（本願発明の噴射ボタン４に相当）を押し下げて回動させることにより、エアゾール容器にかぶせたキャップ（本願発明のカバー体５に相当）に設けられた噴射窓の周壁（本願発明の水平ガイド部５ｅに相当）に、当該押しボタンと一体となっている噴射ノズルを係止して、当該押しボタンが押し下げられた状態を保持するようにした連続噴射モード設定機構が提案されている（特許文献１参照）。
【０００８】
この連続噴射機構の場合、押しボタンの周囲をキャップが包囲している。そのため利用者はキャップから露出している押しボタンの上面部分を押圧しながら回動操作することになる。
【特許文献１】実願昭５３−１０１１５４号（実開昭５５−１６８９３号）のマイクロフィルム
【発明の開示】
【発明が解決しようとする課題】
【０００９】
しかしながら、押しボタンの上面部分を押し下げるのは容易であるが、回動操作用の特別の加工，工夫などをしていない上面部分は滑りやすく、利用者にとって押し下げたまま回動させるのは容易ではない。
【００１０】
そこで本発明では、利用者の指と噴射ボタン（押しボタン）上面との間の回動方向の力（トルク）の伝達を確実なものとすることで、押圧しながらの回動操作が容易で構造の単純な噴射ボタンとし、連続噴射モードへの移行に際しての利便化を図ることを目的とする。
【課題を解決するための手段】
【００１１】
本発明は、以上の課題を次のようにして解決する。
（１）エアゾール容器（例えば図１，図２の容器本体１，マウンティングキャップ２）と一体化されたカバー体（例えば図１，図２のカバー体５）の対向壁状部（例えば図１，図２の壁状部５ｆ）によって保護される形でステム（例えば図１，図２のステム３）に取り付けられて、上面側の操作部（例えば図１，図２の操作面４ａ）に対する利用者の押下げ操作とこれに続く回動操作を受けることにより、当該カバー体に保持されて連続噴射モードに移行する噴射ボタン（例えば図１，図２の噴射ボタン４）において、
前記操作部を、利用者の操作用指との摩擦力を大きくするための加工部分（例えば図１，図２の凹状溝４ｂ）が形成された面部分に設定する。
（２）エアゾール容器（例えば図３，図４の容器本体１，マウンティングキャップ２）と一体化されたカバー体（例えば図３，図４のカバー体５）の対向壁状部（例えば図３，図４の壁状部５ｆ）によって保護される形でステム（例えば図３，図４のステム３）に取り付けられて、上面側の操作部（例えば図３，図４の操作面４ａ）に対する利用者の押下げ操作とこれに続く回動操作を受けることにより、当該カバー体に保持されて連続噴射モードに移行する噴射ボタン（例えば図３，図４の噴射ボタン４）において、
前記操作部を、少なくとも前記回動操作の際にその操作用指への係止作用を呈する対向状態の起立部分（例えば図３，図４の起立部４ｅ）が形成された面部分に設定する。
【００１２】
このような構成からなるエアゾール容器用の噴射ボタンおよび、当該噴射ボタンを備えたエアゾール式製品を本発明の対象としている。
【発明の効果】
【００１３】
本発明の噴射ボタンは、上面操作部に指との摩擦力を大きくするための加工部分や指への係止作用を呈する対向状態の起立部分を設けたので、上面操作部への利用者の回動操作を効率的に行うことができる。
【発明を実施するための最良の形態】
【００１４】
図１〜図４を用いて本発明を実施するための最良の形態を説明する。
【００１５】
なお、本発明は内容物連続噴射またはガス抜きのいずれの用途にも適用することができるが、図１〜図４では単なる説明の便宜上、ガス抜きの場合を前提にしている。
【００１６】
ここで、
図１は、上面操作部の摩擦力を大きくした方式の静止モードを示し、
図２は、図１の方式のガス抜きモードを示し、
図３は、上面操作部に指係止用の起立部を設けた方式の静止モードを示し、
図４は、図３の方式のガス抜きモードを示している。
図１〜図４のそれぞれにおいて、（ａ）は平面図を示し、（ｂ）は断面図を示す。
【００１７】
以下のアルファベット付き参照番号の構成要素（例えば環状凹部１ａ）は原則として、当該参照番号の数字部分の構成要素（例えば容器本体１）の一部であることを示している。
【００１８】
図１および図２において、
１は後述の内容物および噴射用ガスを収納したエアゾール式製品の容器本体，
１ａは容器本体１の開口端部側の外周部に設けた環状凹部，
２は容器本体１の開口端部側に取り付けられたマウンティングキャップ，
３は周知のバルブ機構（図示省略）の構成要素であるステム，
４はステム３に取り付けられて押圧操作およびその解除により上下動するタイプの噴射ボタン，
４ａは利用者が押圧する操作面，
４ｂは操作面４ａに複数設けた凹状溝，
４ｃは周部分に形成されたガス抜きモード設定用の一対の突起部，
４ｄは内容物や噴射用ガスの噴射口，
５は作動モードなどの内容物噴射時にもマウンティングキャップ２に取り付けられたままのカバー体，
５ａはマウンティングキャップ３と嵌合した状態の外側筒状部，
５ｂは外側筒状部５ａの下端内側に設けたマウンティングキャップ２との嵌合用の複数の凸部，
５ｃは外側筒状部５ａと一体成形されて噴射ボタン４の下側部分を取り囲み、保護する態様の内側筒状部，
５ｄは当該内側筒状部５ｃの下端側部分に形成されて、突起部４ｃを上下方向に案内し、噴射ボタン４の静止モード位置からの直接の回動を阻止する垂直ガイド部，
５ｅは当該内側筒状部５ｃの下端側部分に垂直ガイド部５ｄの下側部分から続く態様で形成されて、突起部４ｃを回動方向に案内し、噴射ボタン４の上動を阻止する水平ガイド部，
５ｆは内側筒状部５ｃの上端対向部分から上方に延びて噴射ボタン４の上側部分（一部）を保護する態様の一対の壁状部，
５ｇは外側筒状部５ａ（の背が高い部分）および壁状部５ｆそれぞれの上端部分の間に形成された高天面部，
５ｈはこの高天面部５ｇ（二個）の周方向端部それぞれから下方に延びる形の計四個の側面部，
５ｊは外側筒状部５ａ（の背が低い部分）および内側筒状部５ｃそれぞれの上端部分の間に形成された低天面部，
５ｋは壁状部５ｆの一方（噴射ボタン４のガス抜きモード位置においてその噴射口４ｄが対向する方の壁状部）の周方向に形成された横方向の開口部分，
６は外側筒状部５ａ（の背が高い部分），壁状部５ｆ，高天面部５ｇおよび側面部５ｈによって形成される内側上方空間域
をそれぞれ示している。
【００１９】
図１の静止モードから通常の作動モードへ移行する場合、利用者は指で噴射ボタン４の操作面４ａを押圧すればよい。
【００２０】
操作面４ａを押圧すると、噴射ボタン４の突起部４ｃがカバー体５の垂直ガイド部５ｄの中を移動し、当該噴射ボタンと連動するステム３がマウンテンカップ２中央内部の周知のバルブ機構を開放状態にするので、容器本体内部の内容物および噴射ガスはステム３および噴射ボタン４内部を通り噴射口４ｄから外部空間へと噴射される。
【００２１】
図１の静止モードから図２のガス抜きモードへ移行するには、通常の作動モードの状態、すなわち操作面４ａを十分押圧した状態のまま図示時計方向に回動操作する。このとき、複数設けた凹状溝４ｂが利用者の指と操作面４ａとの摩擦を大きくするので利用者は指をひねるだけで噴射ボタン４を確実に回すことができる。
【００２２】
この回動操作により、突起部４ｃは垂直ガイド部５ｄから水平ガイド部５ｅへ移行する。このとき利用者が指をはなして押圧を解除すると、噴射ボタン４はステム３に対する周知の弾性部材（図示省略）の上方向への付勢力により突起部４ｃが水平ガイド部５ｅに当接する位置まで復帰するが、それ以上復帰することができずにステム３はバルブ機構を開放状態のままに保持する。そのため、容器本体１の残留噴射用ガスは噴射口４ｄから噴射されつづける状態となる。（ガス抜きモード）
【００２３】
このガス抜きモードでは通常の作動モードと異なり、噴射ボタン４の噴射口４ｄは対向壁状部５ｆの開口部分５ｋに対向した状態になっている。そのため容器内部の残留ガスは直接外部空間に放出されず、当該開口部分からいったん内部上方空間域６などに流入した後、当該開口部分や、噴射ボタン４とカバー体５の内側筒状部５ｃとの隙間から外部空間へ放出される。
【００２４】
容器本体１に収納した内容物および噴射用ガスが外部空間に十分に噴射された後、エアゾール式製品を廃棄すればよい。
【００２５】
何らかの理由、例えば残留内容物を使用したいなどの理由により、ガス抜きモードを解除するには、噴射ボタン４の操作面４ａを押圧しながら図示反時計方向に回動操作すればよい。このときも、複数設けた凹状溝４ｂが利用者の指と操作面４ａとの摩擦を大きくするので利用者は指をひねるだけで噴射ボタン４を確実に回すことができる。
【００２６】
この回動操作により、突起部４ｃは水平ガイド部５ｅから垂直ガイド部５ｄへ移行する。このとき利用者が指をはなして押圧を解除すると、噴射ボタン４はステム３に対する周知の弾性部材（図示省略）の上方向への付勢力により図１の静止モードの位置まで復帰するので、バルブ機構は閉放状態となり噴射は停止する。
【００２７】
図３および図４は図１および図２とは別のエアゾール式製品の例を示している。ここで新たに用いるアルファベット付き参照番号は以下の通りであり、その他の参照番号およびにこれらのアルファベット付き参照番号は図１および図２のそれと同じものを用いる。
【００２８】
図３および図４において、
４ｅは操作面４ａの外周に対向する態様で設けた一対の起立部，
５ｇ’は外側筒状部５ａ（の背が高い部分）および後述の一対の起立面５ｍそれぞれの上端部分を連結して形成された高天面部，
５ｈ’は壁状部５ｆおよび外側筒状部５ａの間に設けられた一対の側面部，
５ｊ’は壁状部５ｆの上端部分の周囲および外側筒状部５ａ（の背が低い部分）の上端部分の間に形成された低天面部，
５ｍは低天面部５ｊ’から高天面部５ｇ’の高さまで起立した一対の起立面，
５ｎは噴射ボタン４の静止モード位置においてその噴射口４ｄの外側に続く噴射用開口域，
６’は外側筒状部５ａ（の背が高い部分），壁状部５ｆ，高天面部５ｇ’，低天面部５ｊ’および側面部５ｈ’によって形成される内側上方空間域
をそれぞれ示している。
【００２９】
図３および図４の噴射ボタン４の操作面４ｂには利用者の指からの回動力を伝える凹状溝４ｂの代わりに起立部４ｅを設けている。
【００３０】
図３の静止モードから通常の作動モードへ移行する場合、利用者は図１および図２の場合と同様に指で噴射ボタン４の操作面４ａを押圧すればよい。
【００３１】
操作面４ａを押圧すると、噴射ボタン４の突起部４ｃがカバー体５の垂直ガイド部５ｄの中を移動し、当該噴射ボタンと連動するステム３がマウンテンカップ２中央内部の周知のバルブ機構を開放状態にするので、容器本体内部の内容物および噴射ガスはステム３および噴射ボタン４内部を通り噴射口４ｄから外部空間へ連通する噴射用開口域５ｎへ噴射される。
【００３２】
図３の静止モードから図４のガス抜きモードへ移行するには、図１および図２の場合と同様に、通常の作動モードの状態、すなわち操作面４ａを十分押圧した状態で図示時計方向に回動操作する。このとき、一対の起立部４ｅの周方向端部が利用者の指の側面に当接して利用者の指を保持するので利用者は指をひねるだけで噴射ボタン４を確実に回すことができる。
【００３３】
この回動操作により、突起部４ｃは垂直ガイド部５ｄから水平ガイド部５ｅへ移行する。このとき利用者が指をはなして押圧を解除すると、噴射ボタン４はステム３に対する周知の弾性部材（図示省略）の上方向への付勢力により突起部４ｃが水平ガイド部５ｅに当接する位置まで復帰するが、それ以上復帰することができずにステム３はバルブ機構を開放状態のままに保持する。そのため、容器本体１の残留噴射用ガスは噴射口４ｄから噴射されつづける状態となる。（ガス抜きモード）
【００３４】
このガス抜きモードでは通常の作動モードと異なり、噴射ボタン４の噴射口４ｄは対向壁状部５ｆの開口部分５ｋに対向した状態になっている。そのため容器内部の残留ガスは直接外部空間に放出されず、当該開口部分からいったん内部上方空間域６’などに流入した後、当該開口部分や、噴射ボタン４とカバー体５の内側筒状部５ｃとの隙間から外部空間へ放出される。
【００３５】
容器本体１に収納した内容物および噴射用ガスが十分に外部空間に噴射された後、エアゾール式製品を廃棄すればよい。
【００３６】
何らかの理由、例えば残留内容物を使用したいなどの理由により、ガス抜きモードを解除するには、噴射ボタン４の操作面４ａを押圧しながら図示反時計方向に回動操作すればよい。このときも、一対の起立部４ｅの周方向端部が利用者の指の側面に当接して利用者の指を保持するので利用者は指をひねるだけで噴射ボタン４を確実に回すことができる。
【００３７】
この回動操作により、突起部４ｃは水平ガイド部５ｅから垂直ガイド部５ｄへ移行する。このとき利用者が指をはなして押圧を解除すると、噴射ボタン４はステム３に対する周知の弾性部材（図示省略）の上方向への付勢力により図３の静止モードの位置まで復帰するので、バルブ機構は閉放状態となり噴射は停止する。
【００３８】
なお、ガス抜きモード（連続噴射モード）位置における噴射ボタン４の噴射口４ｄが対向する壁状部５ｆから外側筒状部５ａまで直線方向に連通する通路を設けて、噴射口４ｄからの内容物および噴射ガスがその流れを妨げられることなしに外部空間へ直接噴射可能な内容物連続噴射に対応したエアゾール式製品とすることができる。
【００３９】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４０】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００４１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４５】
高分子化合物としては、メチルセルロース，ゼラチン，デンプン，カゼイン，ヒドロキシエチルセルロース，キサンタンガム，カルボキシビニルポリマーなどを用いる。
【００４６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４７】
さらに、上記内容物以外の、懸濁剤，紫外線吸収剤，乳化剤，保湿剤，酸化防止剤、金属イオン封鎖剤なども用いることができる。
【００４８】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００４９】
【図１】上面操作部の摩擦力を大きくした方式の静止モードを示した説明図であり、（ａ）は平面図、（ｂ）は断面図をそれぞれ示している。
【図２】図１の方式のガス抜きモードを示した説明図であり、（ａ）は平面図、（ｂ）は断面図をそれぞれ示している。
【図３】上面操作部に指係止用の起立部を設けた方式の静止モードを示した説明図であり、（ａ）は平面図、（ｂ）は断面図をそれぞれ示している。
【図４】図３の方式のガス抜きモードを示した説明図であり、（ａ）は平面図、（ｂ）は断面図をそれぞれ示している。
【符号の説明】
【００５０】
１：容器本体
１ａ：環状凹部
２：マウンティングキャップ
３：ステム
４：噴射ボタン
４ａ：操作面
４ｂ：複数設けた凹状溝（図１，図２のみ）
４ｃ：一対の突起部
４ｄ：噴射口
４ｅ：一対の起立部（図３，図４のみ）
５：カバー体
５ａ：外側筒状部
５ｂ：複数の凸部
５ｃ：内側筒状部
５ｄ：垂直ガイド部
５ｅ：水平ガイド部
５ｆ：壁状部
５ｇ，５ｇ’：高天面部
５ｈ，５ｈ’：側面部
５ｊ，５ｊ’：低天面部
５ｋ：開口部分
５ｍ：起立面（図３，図４のみ）
５ｎ：噴射用開口域（図３，図４のみ）
６，６’：内側上方空間域
【図１】
2009050775.tif 000003
【図２】
2009050775.tif 000004
【図３】
2009050775.tif 000005
【図４】
2009050775.tif 000006